(57)【要約】      （修正有）【課題】手作業中に作業を妨げずに筆記具を携帯し、筆記を速やかに行える指装着筆記具ホルダーを提供する。【解決手段】シリコンゴムで成形され、支持部１と、筆記具取付部２と、支持部と筆記具取付部を屈曲自在に連結する連結部３と、を備えた指装着筆記具ホルダーＡであって、支持部には、第二指及び第三指が支持される挿入孔が平行に設けられ、筆記具取付部には、筆記具Ｂが取り付けられる円筒形状の挿入孔が設けられている。素早く筆記ができ、筆記後に筆記具を第一指（親指）と第二指（人差し指）から開放すれば、筆記具は連結部３の弾性により手作業を妨げない位置に復帰する。【選択図】図４
0003193229.tif 000002
【実用新案登録請求の範囲】
【請求項１】
筆記具（Ｂ）を第二指（人差し指）と平行で第三指（中指）の反対側に保持すれば、第一指（親指）の動きを妨げ無い、柔軟性と弾性に優れたシリコンゴムで指装着筆記具ホルダー（Ａ）を成形し、支持部（１）と筆記具取付部（２）を連結部（３）で屈曲自在に連結し、筆記具（Ｂ）の位置を調節して筆記具取付部（２）に取り付ければ素早く筆記ができ、筆記後に筆記具（Ｂ）を第一指（親指）と第二指（人差し指）から開放すれば、筆記具（Ｂ）は指装着筆記具ホルダー（Ａ）の弾性により手作業を妨げない位置に復帰する。
【考案の詳細な説明】
【技術分野】
【０００１】
本考案は、手作業中でも素早く筆記でき、手作業を妨げず筆記具を携帯する筆記具ホルダーに関するものである。
【背景技術】
【０００２】
事務作業には、パソコンの導入によりキーボードやマウスが使用され、筆記具を持ったままでは作業ができないため、書類や伝票などに文字・数字を筆記するためには、パソコンの操作を中断し、筆記具を取上げ⇒筆記具の持つ位置の調節⇒筆記⇒筆記具を置く、一連の動作がおこなわれる。
【０００３】
生産現場で物の移動・製品の組立などの手作業中も、筆記具を持ったままでは作業ができないため、衣服の胸ポケット等に筆記具を携帯している、記録や伝票などに文字・数字を筆記するためには、筆記具を取り出し⇒筆記具の持つ位置の調節⇒筆記⇒元の場所に筆記具を戻す、一連の動作がおこなわれる。  また、筆記具を単独で携帯すため、脱落や置き忘れにより筆記具を紛失する事がある。
【０００４】
パソコンのキーボードやマウスの操作、手で物を持ったり・握ったり、指で触れたり・摘んだりの動作では、指・指先と手の平を使用し、手の平の中に筆記具を保持したままでは作業の妨げとなる。  また、パソコン画面に連続して流れる情報や、連続する作業工程で発生する情報などは、速やかに筆記し記録する必要がある。
【先行技術文献】
【特許文献】
【０００５】
【特許文献１】特許公開２０００−６２３８５
【特許文献２】特許公開２００９−１７９０５４
【考案の概要】
【考案が解決しようとする課題】
【０００６】
筆記具を手で保持して手作業を行うことができないため、筆記具を置いたり・衣服に携帯したりしているので、手作業中の筆記は作業を中断される。  解決しようとする課題は、筆記のために手作業を中断される動作や時間を軽減する。
【課題を解決するための手段】
【０００７】
手作業を行うためには、手の平に邪魔な物が無く、手の指が自由に動くことが必要で、特に第一指（親指）が自由に動くことが重要となる。  手の第一指（親指）は他の第二指（人差し指）から第五指（小指）の四指より手の平側に位置し、第二指（人差し指）と平行で第三指（中指）の反対側に筆記具を保持すれば、第一指（親指）の動きを妨げることは無い。  そのため、手の第一指（親指）と第二指（人差し指）の間で筆記具を安定させるため、第二指（人差し指）で筆記具を平行に支え、第三指（人差し指）で筆記具の回転止め、２本の指で筆記具ホルダーを支持する。
【０００８】
また、指の太さは性別や個人差により違うため、筆記具ホルダーの素材は柔軟性と弾性に優れたシリコンゴムを使用し、筆記具ホルダーの支持部を蛇腹形状にすることで周長を伸縮自在にし、使用者の指の太さの違いを解消し装着可能にする。
【０００９】
筆記具ホルダーの支持部は筆記具取付部より筆記具の先端方向にあり、柔軟性と弾性に優れたシリコンゴムで屈曲自在に連結することで、筆記時の筆記具を持つ位置が安定して簡単に筆記ができる。  また、筆記後に筆記具を第一指（親指）と第２指（人指し指）から開放すると、筆記具は筆記具ホルダーの弾性で手作業を妨げない位置に復帰する。
【００１０】
筆記具取付部は円筒形状で、シリコンゴムの弾性を利用し筆記用具を保持し、筆記具取付位置を調節自在にする、事前に筆記具の位置を調節する事で、筆記の度に筆記具の持つ位置を調節する必要が無い。
【考案の効果】
【００１１】
本考案の指装着筆記具ホルダーは、作業の妨げない位置で筆記具を指に装着し、筆記具の位置を調節しなくても簡単に素早く筆記動作が行える。  また、筆記後は筆記具が作業の妨げない位置に筆記具ホルダーの弾性で復帰します。そのために作業中の筆記より中断される動作や時間を軽減します。
【図面の簡単な説明】
【００１２】
【図１】図１は本考案の実施例を示した正面図である。
【図２】図２は本考案の実施例を示した立面図である。
【図３】図３は本考案の実施例を示した斜視図である。
【図４】図４は本考案の実施例の筆記時の実施方法を示した図である。
【図５】図５は本考案の実施例のマウス使用時の実施方法を示した図である。
【図６】図６は本考案の実施例のキーボード使用時の実施方法を示した図である。
【考案を実施するための形態】
【００１３】
以下、本考案の実施例について、図面を参照しつつ詳細に説明すれば、
図１は、本考案の実施例の正面図である。図２は本考案の実施例の立面図である。
図３は、本考案の実施例の斜視図である、指装着筆記具ホルダー（Ａ）は、柔軟性と弾性に優れたシリコンゴムを素材として成形され、支持部（１）と筆記具取付部（２）がある。  支持部（１）は第二指支持孔（１ａ）と第三指支持孔（1ｂ）で、蛇腹の挿入孔が平行に並んでいる、筆記具取付部（２）は、筆記具（Ｂ）を挿入する円筒形状の挿入孔で筆記具（Ｂ）の軸径より小さい内径をしており、シリコンゴムの弾性により筆記具（Ｂ）を保持し、筆記具（Ｂ）の位置調節ができる。  支持部（１）は筆記具取付部（２）より筆記具（Ｂ）の先端方向に配置し、連結部（３）で屈曲自在に連結され、筆記具（Ｂ）は支持部（１）の第二指支持孔（1ａ）と平行に支持される。
【００１４】
図４は、本考案の筆記時の実施方法を示した図である、筆記具（Ｂ）を筆記しやすい位置で筆記具取付部（２）に取り付けておけば、簡単に素早く筆記でき、筆記後に筆記具（Ｂ）を第一指（親指）と第二指（人差し指）から開放すれば、筆記具（Ｂ）は指装着筆記具ホルダー（Ａ）の弾性により手作業を妨げない位置に復帰する。
【００１５】
図５は、本考案のマウス使用時の実施方法を示した図である、指装着筆記具ホルダー（Ａ）を装着した状態で、マウス（Ｃ）を操作しても、筆記具（Ｂ）がマウス（Ｃ）の操作を妨げることはない。  また、物を持ったり、握ったりの動作は、マウス（Ｃ）を使用時の動作と類似している。
【００１６】
図６は、本考案のキーボード使用時の実施方法を示した図である、指装着筆記具ホルダー（Ａ）を装着した状態で、キーボード（Ｄ）を使用しても、筆記具（Ｂ）がキーボード（Ｄ）の操作を妨げることはない。
【符号の説明】
【００１７】
Ａ    指装着筆記具ホルダー
１    支持部
1ａ    第二指支持孔
1ｂ    第三指支持孔
２    筆記具取付部
３    連結部
Ｂ    筆記具
Ｃ    マウス
Ｄ    キーボード
【図１】
0003193229.tif 000003
【図２】
0003193229.tif 000004
【図３】
0003193229.tif 000005
【図４】
0003193229.tif 000006
【図５】
0003193229.tif 000007
【図６】
0003193229.tif 000008
【手続補正書】
【提出日】平成26年7月28日(2014.7.28)
【手続補正１】
【補正対象書類名】実用新案登録請求の範囲
【補正対象項目名】請求項１
【補正方法】変更
【補正の内容】
【請求項１】
シリコンゴムで成形され、支持部（１）と、筆記具取付部（２）と、支持部（１）と筆記具取付部（２）を屈曲自在に連結する連結部（３）と、を備えた指装着筆記具ホルダーであって、
支持部（１）には、第二指及び第三指が支持される挿入孔（１ａ、１ｂ）が平行に設けられ、筆記具取付部（２）は、筆記具（Ｂ）が取り付けられる円筒形状の挿入孔が設けられたことを特徴とする指装着筆記具ホルダー。